(57)【要約】【課題】  携帯端末装置および狭域デバイス間の通信リンクが切断されるべきでない状況では、通信リンクを維持しながら、携帯端末装置から狭域デバイスへの不要な送信を抑止して、省電力化を図ることができる携帯端末装置および狭域デバイスの省電力化方法を提供する。【解決手段】  携帯端末装置２の制御部３に、操作判断部２３によって操作入力部１１からの入力操作があったと判断されたとき、そのとき有効になっている複数の機能の中に切断不可の機能が１以上であれば、狭域デバイス３０との通信リンクを切断せずに狭域通信部７から狭域デバイス３０への送信を禁止し、実行中で有効になっている機能の中に切断不可の機能がなければ、狭域デバイス３０との通信リンクを切断する省電力化装置１を設ける。【選択図】      図１
2014036398.tif 000002
【特許請求の範囲】
【請求項１】
複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと通信リンクを確立して、無線で情報を送受信する通信部と、
前記操作入力部が操作されたか否かを判断する操作判断部と、
前記通信部が情報を受信したか否かを判断する受信判断部と、
前記操作判断部によって入力操作があったと判断されたとき、前記複数の機能の中に切断不可の機能が１以上あれば、前記狭域デバイスとの前記通信リンクを切断せずに前記通信部から前記狭域デバイスへの送信を禁止し、前記複数の機能の中に切断不可の機能がなければ、前記狭域デバイスとの前記通信リンクを切断する制御部と、を含むことを特徴とする携帯端末装置。
【請求項２】
前記制御部は、前記操作判断部によって前記操作入力部が操作されていないと判断され、かつ前記狭域デバイスとの前記通信リンクが切断されているとき、前記狭域デバイスとの前記通信リンクを確立して接続することを特徴とする請求項１に記載の携帯端末装置。
【請求項３】
前記制御部は、前記情報通信網を介して外部通信機器から着信があったとき、前記狭域デバイスへの通知を禁止することを特徴とする請求項１または２に記載の携帯端末装置。
【請求項４】
前記制御部は、前記操作入力部の入力操作によって、前記複数の機能のいずれかを選択的に切断不可の機能として設定可能であることを特徴とする請求項１〜３のいずれか１つに記載の携帯端末装置。
【請求項５】
前記複数の機能は、ハンズフリー機能およびオーディオ配信機能を含み、
前記制御部には、前記ハンズフリー機能およびオーディオ配信機能が切断不可の機能として設定されていることを特徴とする請求項１〜４のいずれか１つに記載の携帯端末装置。
【請求項６】
複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと無線で通信リンクを確立して、情報を送受信する通信部と、
前記操作入力部が操作されたか否かを判断する操作判断部と、
前記通信部が情報を受信したか否かを判断する受信判断部と、を備える携帯端末装置によって、
前記操作判断部によって入力操作があったと判断されたとき、前記複数の機能の中に切断不可の機能が１以上あれば、前記狭域デバイスとの前記通信リンクを切断せずに前記通信部から前記狭域デバイスへの送信を禁止し、前記複数の機能の中に切断不可の機能がなければ、前記狭域デバイスとの前記通信リンクを切断することを特徴とする狭域デバイスの省電力化方法。
【請求項７】
コンピュータを、複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと通信リンクを確立して、無線で情報を送受信する通信部と、
前記操作入力部が操作されたか否かを判断する操作判断部と、
前記通信部が受信したか否かを判断する受信判断部と、
前記操作判断部によって入力操作があったと判断されたとき、前記複数の機能の中に切断不可の機能が１以上あれば、前記狭域デバイスとの前記通信リンクを切断せずに通信部から前記狭域デバイスへの送信を禁止し、前記複数の機能の中に切断不可がなければ、前記狭域デバイスとの前記通信リンクを切断する制御部と、を含む携帯端末装置として機能させることを特徴とするプログラム。
【発明の詳細な説明】
【技術分野】
【０００１】
本発明は、ブルートゥース（Ｂｌｕｅｔｏｏｔｈ；登録商標）などの接続確立方式の短距離無線通信機能によって、携帯端末装置と無線で通信リンクされるアクセサリとも呼ばれる狭域デバイスの省電力化を図ることができる携帯端末装置、狭域デバイスの省電力化方法およびプログラムに関する。
【背景技術】
【０００２】
近年、ブルートゥース（Ｂｌｕｅｔｏｏｔｈ；登録商標）などの接続確立方式の無線通信機能によって、携帯端末装置と無線接続して連携動作し、携帯端末装置との間で情報を送受信することが可能な、たとえば腕時計に代表されるアクセサリとも呼ばれる小型の狭域デバイスが普及している。
【０００３】
このような狭域デバイスは、ディスプレイ装置、スピーカ、バイブレーション装置などが備え付けられており、携帯端末装置がメール受信やＳＮＳ(Social Networking Service)の更新を検知した際に、それらの情報が無線接続を通じて狭域デバイスに通知される。
【０００４】
狭域デバイスは、その情報を受け、鳴動したり振動したりすることによって、ユーザにそれらの受信や更新を通知することができる。また狭域デバイスに備えられるディスプレイ装置にそれらの内容を表示させることによって、ユーザは携帯端末装置をポケットや鞄から取り出すことなく、それらの情報を確認することができる。
【０００５】
携帯端末装置の使用目的によっては、上記の狭域デバイスの鳴動や振動、情報の表示を行う必要がない状況がある。このような状況においては、省電力の観点から、携帯端末装置から狭域デバイスへの通知は抑止し、狭域デバイス側にて不要な鳴動や振動、情報の表示が行われないことが望まれる。このような課題を解決する従来技術は、たとえば特許文献１〜３に記載されている。
【０００６】
特許文献１に記載される従来技術では、携帯端末装置としての携帯電話をユーザが操作している状況においては、着信等は携帯電話側で確認できることから、携帯電話から狭域デバイスへの通知は不要であると判断し、抑止している。
【０００７】
携帯電話から狭域デバイスへの通知を抑止するための具体的手法としては、携帯電話および狭域デバイス間の通信を実現するための無線接続手段であるＢｌｕｅｔｏｏｔｈの通信リンクを切断することによって前記通知を抑止している。また、この従来技術では、Ｂｌｕｅｔｏｏｔｈの通信リンクの切断は行わず、携帯電話から狭域デバイスへの着信通知のためのデータ送信だけを抑止する手法も提案されている。
【０００８】
特許文献２に記載される従来技術では、狭域デバイス（腕時計）側の状況（移動状況、所在地、時間帯、動作モード、装着／非装着）と、送信する情報の内容（情報の種別、緊急度、送信元）とを判別し、狭域デバイス側への情報の送信を制御する技術が提案されている。
【０００９】
特許文献３に記載される従来技術では、メール着信や時刻アラームなどのイベント発生時に、外部装置用通信手段が、周辺に存在する狭域デバイスとしての複数の外部装置の電源状態を取得し、イベント通知制御手段がイベントの種別と、各外部装置の電源状態とに基づき、適切な外部装置をイベント通知対象として選定して、ユーザにイベントが発生したことを通知する技術が提案されている。
【先行技術文献】
【特許文献】
【００１０】
【特許文献１】特開２００９−１６４７８０号公報
【特許文献２】特開２０１０−２４５６６８号公報
【特許文献３】特開２００７−１７３９２０号公報
【発明の概要】
【発明が解決しようとする課題】
【００１１】
前述の特許文献１に記載される従来技術では、狭域デバイスへの通知を抑止する手法として、Ｂｌｕｅｔｏｏｔｈの通信リンクを切断してしまう方法と、着信通知のためのデータ送信だけを抑止する方法とが提案されているが、それらを条件によって適切に切換えることができない。
【００１２】
たとえば、他のＢｌｕｅｔｏｏｔｈの機能(Profile)である、ハンズフリー通話機能（ＨＦＰ:Hands Free Profile）、オーディオ配信機能（Ａ２ＤＰ:Advanced Audio Distribution Profile）など、切断されると都合の悪い機能を同時に使用している場合であっても、Ｂｌｕｅｔｏｏｔｈの通信リンクを切断する方法では、狭域デバイス側の状況にて判別し、携帯電話が操作されているということは、切断判別の要素に入っていないため、前記切断されると都合の悪い機能が同時に切断されてしまう。
【００１３】
すなわち、ハンズフリー機能（ＨＦＰ）は、携帯電話と狭域デバイスとの間のＢｌｕｅｔｏｏｔｈの通信リンク上で音声を送受信することによって、携帯電話を鞄やポケットから取り出すことなく、狭域デバイスに備え付けられたヘッドフォンとマイクにより通話することを実現するものであるが、たとえば、ハンズフリー通話中にアドレス帳を確認するような場合には、携帯電話を操作した時点で、Ｂｌｕｅｔｏｏｔｈによる通信が切断されてしまい、ハンズフリー通話も終了してしまうという問題がある。
【００１４】
また、オーディオ配信機能（Ａ２ＤＰ）は、携帯電話に保存された音楽を、携帯電話と狭域デバイスとの間のＢｌｕｅｔｏｏｔｈの通信リンク上で狭域デバイス側に送信し、該狭域デバイス側のヘッドフォンにて音楽の視聴を実現するものであるが、再生されている音楽の楽曲を携帯端末装置にて確認しようとする際に、Ｂｌｕｅｔｏｏｔｈの通信リンクが切断されてしまい、オーディオ配信機能が停止してしまうという問題がある。
【００１５】
さらに、前記切断されると都合の悪い機能は、同時に使用していない場合においては、省電力の観点からも、Ｂｌｕｅｔｏｏｔｈの通信リンクは切断されることが望ましい。
【００１６】
本発明の目的は、端末装置と狭域デバイスとの間の通信リンクが切断されるべきでない状況では、端末装置および狭域デバイス間の通信リンクを維持しながら、端末装置から狭域デバイスへの不要な送信を抑止して、省電力化を図ることができる携帯端末装置、狭域デバイスの省電力化方法およびプログラムを提供することである。
【課題を解決するための手段】
【００１７】
本発明は、複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと通信リンクを確立して、無線で情報を送受信する通信部と、
前記操作入力部が操作されたか否かを判断する操作判断部と、
前記通信部が情報を受信したか否かを判断する受信判断部と、
前記操作判断部によって入力操作があったと判断されたとき、前記複数の機能の中に切断不可の機能が１以上あれば、前記狭域デバイスとの前記通信リンクを切断せずに前記通信部から前記狭域デバイスへの送信を禁止し、前記複数の機能の中に切断不可の機能がなければ、前記狭域デバイスとの前記通信リンクを切断する制御部と、を含むことを特徴とする携帯端末装置である。
【００１８】
また本発明は、前記制御部は、前記操作判断部によって前記操作入力部が操作されていないと判断され、かつ前記狭域デバイスとの前記通信リンクが切断されているとき、前記狭域デバイスとの前記通信リンクを確立して接続することを特徴とする。
【００１９】
さらに本発明は、前記制御部は、前記情報通信網を介して外部通信機器から着信があったとき、前記狭域デバイスへの通知を禁止することを特徴とする。
【００２０】
さらに本発明は、前記制御部は、前記操作入力部の入力操作によって、前記複数の機能のいずれかを切断不可の機能として設定可能であることを特徴とする。
【００２１】
さらに本発明は、前記複数の機能は、ハンズフリー機能およびオーディオ配信機能を含み、
前記制御部には、前記ハンズフリー機能およびオーディオ配信機能が切断不可の機能として設定されていることを特徴とする。
【００２２】
さらに本発明は、複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと無線で通信リンクを確立して、情報を送受信する通信部と、
前記操作入力部が操作されたか否かを判断する操作判断部と、
前記通信部が情報を受信したか否かを判断する受信判断部と、を備える携帯端末装置によって、
前記操作判断部によって入力操作があったと判断されたとき、前記複数の機能の中に切断不可の機能が１以上あれば、前記狭域デバイスとの前記通信リンクを切断せずに前記通信部から前記狭域デバイスへの送信を禁止し、前記前記複数の機能の中に切断不可の機能がなければ、前記狭域デバイスとの前記通信リンクを切断することを特徴とする狭域デバイスの省電力化方法である。
【００２３】
さらに本発明は、コンピュータを、複数の機能を備え、各機能を実行することによって動作する狭域デバイスと無線で通信可能であるとともに、情報通信網を介して外部通信機器と通信可能であり、前記各機能に対して、前記狭域デバイスとの通信リンクを前記各機能の実行中に切断可能および切断不可のいずれかに設定可能な携帯端末装置であって、
前記複数の機能から実行する機能を選択するための操作入力部と、
前記狭域デバイスと通信リンクを確立して、無線で情報を送受信する通信部と、
前記操作入力部が操作されたか否かを判断する操作判断部と、
前記通信部が受信したか否かを判断する受信判断部と、
前記操作判断部によって入力操作があったと判断されたとき、前記複数の機能の中に切断不可の機能が１以上あれば、前記狭域デバイスとの前記通信リンクを切断せずに前記通信部から前記狭域デバイスへの送信を禁止し、前記前記複数の機能の中に切断不可がなければ、前記狭域デバイスとの前記通信リンクを切断する制御部と、を備える携帯端末装置として機能させることを特徴とするプログラムである。
【発明の効果】
【００２４】
本発明によれば、携帯端末装置の制御部は、操作判断部によって操作入力部からの入力操作があったと判断されたとき、そのとき実行中で通信リンクが確立されて有効になっている複数の機能の中に切断不可の機能が１以上あれば、狭域デバイスとの通信リンクを切断せずに通信部から狭域デバイスへの送信を禁止し、前記有効になっている複数の機能の中に切断不可の機能がなければ、狭域デバイスとの通信リンクを切断する。
【００２５】
このように、機能に応じて、携帯端末装置と狭域デバイスとの通信リンクが切断されるべきでない状況において、実行中の機能の通信リンクを継続しつつも、狭域デバイス側に不要な通信を行わないことによって、狭域デバイス側における不要な動作を抑止して、省電力を実現することができる。また、機能が通信リンクが確立していない場合においては、適切に携帯端末装置と狭域デバイスとの通信リンクを切断することができる。
【図面の簡単な説明】
【００２６】
【図１】本発明の一実施形態の携帯端末装置２の構成を示すブロック図である。
【図２】省電力化装置１の構成を示すブロック図である。
【図３】携帯端末装置２の省電力化方法の手順を示すフローチャートである。
【図４】携帯端末装置２が通信リンクを切断可能な場合の動作を模式的に示す図である。
【図５】携帯端末装置２が通信リンクを切断できない場合の動作を模式的に示す図である。
【発明を実施するための形態】
【００２７】
図１は、本発明の一実施形態の携帯端末装置２の構成を示すブロック図である。本実施形態の携帯端末装置２は、省電力化装置１を備え、この省電力化装置１によって、本発明に係る省電力化方法が実施される。携帯端末装置２は、たとえば携帯電話、パーソナルコンピュータ、携帯情報端末（Personal Digital Assistance：略称ＰＤＡ）、あるいは電子辞書などの携帯型情報通信機器によって実現されるが、本実施形態では、携帯端末装置２が携帯電話装置である場合について説明する。
【００２８】
携帯端末装置２は、アクセサリとも呼ばれる後述の狭域デバイス３０の省電力を図ることができる省電力化装置１を備え、コンピュータである中央演算処理装置（Central Processing Unit：略称ＣＰＵ）によって実現される制御部３、記憶部４、一時記憶部５、表示部６、狭域通信部７、音声出力部８、音声入力部９、電話網通信部１０、操作入力部１１およびアンテナ１２を含んで構成される。
【００２９】
前記制御部３は、記憶部４に記憶されるプログラムＰを実行することによって、表示部６、狭域通信部７、音声出力部８、音声入力部９、電話網通信部１０および操作入力部１１を制御する。
【００３０】
前記記憶部４は、たとえば不揮発性の半導体メモリ、たとえばＲＯＭ(Read Only Memory)などの一時記憶部５よりも容量の大きい記憶装置によって実現され、制御部３が実行するプログラムＰおよび制御部３が制御するために必要なデータＤが記憶される。記憶部４に記憶されるプログラムＰには、後述する狭域デバイス管理用の通信アプリケーションプログラムが含まれる。
【００３１】
前記制御部３は、プログラムＰを実行する前に、プログラムＰに含まれる通信アプリケーションプログラムおよび該通信アプリケーションプログラムを実行するために必要な情報を記憶部４から読み出し、一時記憶部５に書き込んで記憶させる。そして、一時記憶部５に記憶されるプログラムＰを実行し、記憶部４に記憶されるデータＤに対して演算等の処理を実行する。
【００３２】
前記一時記憶部５は、記憶部４よりも高速に情報の読み書きが可能な半導体メモリ、たとえばＲＡＭ(Random Access Memory)などによって実現される記憶装置であり、制御部３が実行するプログラムおよびデータが記憶される。
【００３３】
前記表示部６は、たとえば液晶ディスプレイ装置によって構成され、制御部３から受け取る情報、たとえば携帯端末装置２の動作状況を表す情報、あるいは携帯端末装置２を制御するために必要な情報を表示する。
【００３４】
前記狭域通信部７は、狭域デバイス３０と情報を送受信するための前述の通信用アプリケーションプログラムを実行することによって実現される機能であり、たとえばＢｌｕｅｔｏｏｔｈ（登録商標）による無線通信を行う。Ｂｌｅｔｏｏｔｈの機能(Profile)としては、ハンズフリー通話機能（ＨＦＰ:Hands Free Profile）およびオーディオ配信機能（Ａ２ＤＰ:Advanced Audio Distribution Profile）があり、前記制御部３には、ハンズフリー機能およびオーディオ配信機能が切断不可の機能として設定されている。これらのハンズフリー通話機能およびオーディオ配信機能などの、切断されると都合の悪い機能が同時に使用されている場合であっても、本実施形態では、狭域デバイス３０側の状況で判別するのではなく、携帯端末装置２が操作されているかどうかを判別の要素としている。
【００３５】
すなわち、ハンズフリー機能（ＨＦＰ）は、携帯端末装置２と狭域デバイス３０との間のＢｌｕｅｔｏｏｔｈの通信リンク上で音声を送受信することによって、携帯端末装置２を鞄やポケットから取り出すことなく、狭域デバイス３０に備え付けられたヘッドフォンとマイクにより通話することを実現するものであるが、たとえば、ハンズフリーで通話中にアドレス帳を確認するような場合であっても、携帯端末装置２を操作した時点で、Ｂｌｕｅｔｏｏｔｈによる通信リンクが切断されてしまうことはなく、ハンズフリー通話も終了してしまうという不具合を回避することができるように構成されている。
【００３６】
また、オーディオ配信機能（Ａ２ＤＰ）は、携帯端末装置に保存された音楽を、携帯端末装置２と狭域デバイス３０との間のＢｌｕｅｔｏｏｔｈの通信リンク上で狭域デバイス３０側に送信し、該狭域デバイス３０側のヘッドフォンにて音楽の視聴を実現するものであるが、再生されている音楽の楽曲を携帯端末装置２にて確認するために、ユーザが携帯端末装置２を操作しても、Ｂｌｕｅｔｏｏｔｈの通信リンクが切断されてしまい、オーディオ配信機能（Ａ２ＤＰ）が停止してしまう不具合は、生じない。
【００３７】
前記狭域通信部７は、制御部３から受け取る情報を狭域デバイス３０に送信し、狭域デバイス３０から受信した情報を制御部３に出力する。前記狭域デバイス３０は、たとえば約２．４ＧＨｚ帯域で狭域無線信号を通信するように動作可能である。
【００３８】
前記音声出力部８は、たとえばスピーカを含んで構成され、制御部３から受け取る情報、たとえば音声通話の音声情報あるいは動作状態を告知するための情報を音にして出力する。また、音声入力部９は、たとえばマイクロフォンを含んで構成され、音声通話のための音声などを入力する。音声入力部９は、入力された音声を音声情報に変換して制御部３に出力する。
【００３９】
前記電話網通信部１０は、情報通信網または公衆回線網を介して、たとえば無線ＬＡＮなどの無線通信によって情報を送受信する。電話網通信部１０は、制御部３から受け取る情報、たとえば音声あるいはパケットなどの情報を電気信号に変換してアンテナ１２に送り、アンテナ１２から受け取る電気信号を、音声あるいはパケットなどの情報に変換して、制御部３に出力する。
【００４０】
前記アンテナ１２は、電話網通信部１０から受け取る電気信号を電波として出力して基地局などに送信し、基地局から送信される電波を受信して電気信号に変換し、電話網通信部１０に出力する。
【００４１】
前記操作入力部１１は、たとえば複数の操作キーを有するキーボード、および表示部６の液晶ディスプレイ装置の表示面に積層されたタッチパネルなどの面状スイッチング素子によって構成され、ユーザが携帯端末装置２を操作するために入力した情報を制御部３に入力することができる。
【００４２】
図２は、省電力化装置１の構成を示すブロック図である。前記省電力化装置１は、通知受付部２０、通知判断部２１、通知フラグ管理部２２、操作判断部２３、および有効機能判断部２４を含む。このような省電力化装置１は、記憶部４に格納されたプログラムＰを制御部３が実行することによって、制御部３による狭域デバイス管理機能として実現される。
【００４３】
前記操作判断部２３は、ユーザが携帯端末装置２の操作入力部１１を操作しているかどうかの判定においては、たとえば、ユーザが操作入力部１１を操作するために操作キーまたは液晶ディスプレイ装置の表示面をタッチしたこと、またはそれに伴って液晶ディスプレイ装置が点灯したと判断されるとき、ユーザが操作入力部１１を操作していると判定する。
【００４４】
また、前記操作判断部２３は、ユーザの操作が終了し、表示部６の液晶ディスプレイ装置が消灯するか、または操作入力部１１の操作キーまたは液晶ディスプレイ装置の表示面のタッチパネルを操作してから一定時間、たとえば１分が経過したとき、ユーザが操作入力部１１を操作していないと判断する。
【００４５】
携帯端末装置２は、省電力化装置１によって、有効になっているＢｌｕｅｔｏｏｔｈの機能に応じて、狭域デバイス３０との間でＢｌｕｅｔｏｏｔｈの通信リンクが切断されるべきでない状況である場合には、通常モードからそれらのＢｌｕｅｔｏｏｔｈの機能を継続しつつも、狭域デバイス３０へ不要な通知を行わない低消費電力モードに遷移して、狭域デバイス３０側における不要な鳴動などの動作を抑止し、省電力を実現することができる。
【００４６】
低消費電力モードは、携帯端末装置２と狭域デバイス３０とがＢｌｕｅｔｏｏｔｈの接続状態を維持した状態で低消費電力の動作環境に遷移した状態である。また、省電力化装置１と狭域デバイス３０との間でＢｌｕｅｔｏｏｔｈの通信リンクが切断されるべき状況である場合には、適切にＢｌｕｅｔｏｏｔｈの通信リンクを切断することができる。
【００４７】
図３は、携帯端末装置２の省電力化方法の手順を示すフローチャートであり、図４は携帯端末装置２が通信リンクを切断可能な場合の動作を模式的に示す図であり、図５は携帯端末装置２が通信リンクを切断できない場合の動作を模式的に示す図である。
【００４８】
前述の省電力化装置１において、ステップＳ０では、携帯端末装置２が狭域デバイス３０とのＢｌｕｅｔｏｏｔｈによる通信リンクが確立され、通知判断部２１は通知受付部２０からのメール受信などの受付信号に応答し得る情報通知機能が有効な状態にあり、オーディオ配信機能（Ａ２ＤＰ）は無効状態にある。
【００４９】
前記ステップＳ０からステップＳ１に移り、ユーザが操作入力部１１を操作すると、操作判断部２３はユーザが携帯端末装置２の操作入力部１１を操作していると判断し、次のステップＳ２に移る。
【００５０】
前記ステップＳ２では、操作判断部２３が操作入力部１１の操作があったものと判断すると、有効機能判断部２４はそのとき有効になっているＢｌｕｅｔｏｏｔｈの機能の中に、切断不可の機能（本実施形態では、オーディオ配信機能）が１つ以上あれば、ステップＳ３へ移り、図５に示すように、狭域デバイス３０とのＢｌｕｅｔｏｏｔｈの通信リンクを切断せずに、通知フラグ管理部２２の携帯端末装置２から狭域デバイス３０への通知フラグを無効にして、ステップＳ５で機能判断処理を終了し、ユーザによる操作入力部１１の操作が終了したと判断したときは、通知フラグ管理部２２の通知フラグを有効にし、そのときＢｌｕｅｔｏｏｔｈの通信リンクが切断されていれば、接続する。
【００５１】
また、操作判断部２３は、有効機能判断部２４が、有効になっているＢｌｕｅｔｏｏｔｈの機能の中に切断不可のものが１つもないと判断すれば、ステップＳ４へ移り、図４に示すように、Ｂｌｕｅｔｏｏｔｈの通信リンクを切断して、ステップＳ５で機能判断処理を終了し、ユーザによる操作入力部１１の操作が終了したと判断したときは、通知フラグ管理部２２の通知フラグを有効にし、そのときＢｌｕｅｔｏｏｔｈの通信リンクが切断されていれば、接続する。
【００５２】
このとき、通知判断部２１が外部通信機器から携帯端末装置２に着信があったと判断した場合、上述の通知フラグ管理部２２の通知フラグが無効になっていれば、狭域デバイス３０側への着信の通知を抑止する。Ｂｌｕｅｔｏｏｔｈの通信リンクが切断されていれば、当然ながら着信の通知は、狭域デバイス３０には届かない。
【００５３】
前記有効機能判断部２４による有効になっているＢｌｕｅｔｏｏｔｈの機能が切断不可かどうかの判定においては、機能ごとに、ユーザが端末操作中に切断してもよいものと、切断不可のものとを予め分けておく。たとえば、携帯端末装置２の着信状態を狭域デバイス３０側に通知するためのＰＡＳＰ(Phone Alert Status Profile)は切断可能なものであり、ハンズフリー通話機能（ＨＦＰ）やオーディオ配信機能（Ａ２ＤＰ）は、切断不可のものとしておく。それらは、ユーザが操作入力部１１または表示部６の表示面のタッチパネルから制御部３に予め設定できるようにしてもよい。
【００５４】
本実施形態によれば、有効になっているＢｌｕｅｔｏｏｔｈの機能に応じて、Ｂｌｕｅｔｏｏｔｈの通信リンクが切断されるべきでない状況において、それらのＢｌｕｅｔｏｏｔｈの機能を継続しつつも、狭域デバイス３０側に不要な通知を行わないことによって、狭域デバイス３０側における不要な鳴動などの動作を抑止し、これによって省電力を実現することができる。また、そのような機能が有効になっていない場合においては、適切にＢｌｕｅｔｏｏｔｈの通信リンクを切断することができる。
【００５５】
狭域デバイス３０は、携帯端末装置の付属機器であって、アクセサリとも呼ばれ、例えば、赤外線アダプタ・ユニット、携帯型ハンズフリー・ユニット、振動によって通知する機構などによって実現されてもよい。
【符号の説明】
【００５６】
１  省電力化装置
２  携帯端末装置
３  制御部
４  記憶部
５  一時記憶部
６  表示部
７  狭域通信部
８  音声出力部
９  音声入力部
１０  電話網通信部
１１  操作部
１２  アンテナ
２０  通知受付部
２１  通知判断部
２２  通知フラグ管理部
２３  端末操作判断部
２４  有効機能判断部
３０  狭域デバイス
【図１】
2014036398.tif 000003
【図２】
2014036398.tif 000004
【図３】
2014036398.tif 000005
【図４】
2014036398.tif 000006
【図５】
2014036398.tif 000007